(57)【要約】  信号的ディスカバリーのための方法が開示される。この方法は、無線通信ネットワークのネットワークノードにおいて実行され、ディスカバリー用制御信号において送信される１つ又は複数の制御情報に基づいてインジケータを生成することと、このインジケータを制御信号に対する、制御信号の内容を示すプリアンブルとして送信することとを含む。【選択図】図１
2022501961.tif 000002
【特許請求の範囲】
【請求項１】
無線通信ネットワークのネットワークノードで実行されるディスカバリーシグナリングのための方法であって、
‐ディスカバリー用制御信号において送信される１つ又は複数の制御情報に基づいて、インジケータを生成すること（Ｓ１０２）と、
‐送信機会において、前記ディスカバリー用制御信号に対するプリアンブルとして、前記制御信号の内容を示す前記インジケータを送信すること（Ｓ１０４）と、
を含む方法。
【請求項２】
１つ又は複数の制御情報に基づいてインジケータを生成すること（Ｓ１０２）は、前記ディスカバリー用制御信号において送信される前記制御情報に基づいて、１つ又は複数の制御情報タイプを識別すること（Ｓ１０２Ｂ）と、前記１つ又は複数の制御情報タイプに基づいて前記インジケータを生成すること（Ｓ１０２Ｃ）とを含む、請求項１に記載の方法。
【請求項３】
前記ディスカバリー用制御信号は１つ又は複数の個別の信号を含む、請求項１又は２に記載の方法。
【請求項４】
前記インジケータは前記制御信号の長さを示す、請求項１〜３のいずれかに記載の方法。
【請求項５】
前記プリアンブルに第１の変調又はコード化スキームを、及び前記制御信号に第２の変調又はコード化スキームを適用すること（Ｓ１０６）を含み、前記第２の変調又はコード化スキームは前記第１の変調又はコード化スキームとは異なる、請求項１〜４のいずれかに記載の方法。
【請求項６】
前記制御信号において送信される１つ又は複数の制御情報が、第１の組の制御情報に対する追加の制御情報を含むかどうかを決定すること（Ｓ１０１）と、
前記制御信号において送信される前記１つ又は複数の制御情報が前記第１の組の制御情報に対する追加の制御情報を含むとの決定に従って、前記生成すること（Ｓ１０２）及び前記送信すること（Ｓ１０４）を実行することを含む、請求項１〜５のいずれかに記載の方法。
【請求項７】
前記制御信号を形成する一連の複数の個別信号を１回の送信機会において送信することにより、前記制御信号を無線電子機器に送信すること（Ｓ１０８）を含む、請求項１〜６のいずれかに記載の方法。
【請求項８】
無線通信ネットワークにおけるディスカバリーシグナリングのために無線電子装置において実行される方法であって、
‐ディスカバリー用制御信号に対するプリアンブルであって、前記制御信号の内容を示すインジケータを含むプリアンブルを受信すること（Ｓ３０２）と、
‐前記インジケータに基づいて前記制御信号の内容を決定すること（Ｓ３０４）と、
‐前記プリアンブルと同じ送信機会において、前記制御信号を受信すること（Ｓ３０６）と、
を含む方法。
【請求項９】
前記インジケータに基づいて前記ディスカバリー用制御信号の内容を決定すること（Ｓ３０４）は、前記制御信号が、前記無線電子装置によって必要とされる本体部分の制御情報を含むことを前記インジケータが示すかどうかを決定すること（Ｓ３０４Ａ）と、前記制御信号が前記無線電子装置によって必要とされる制御情報を含むとの決定に従って、前記制御情報を処理すること（Ｓ３０４Ｂ）とを含む、請求項８に記載の方法。
【請求項１０】
前記インジケータに基づいて前記ディスカバリー用制御信号の内容を決定すること（Ｓ３０４）は、
前記制御信号が前記無線電子装置によって必要とされる制御情報を含まないとの決定に従って、前記制御情報の処理を見合わせること（Ｓ３０４Ｃ）を含む、請求項８又は９に記載の方法。
【請求項１１】
前記無線電子装置のウエイクアップ受信機における前記インジケータの処理に基づいて、前記無線電子装置のメイン受信機をウエイクアップさせること（Ｓ３０３）を含む、請求項８〜１０に記載の方法。
【請求項１２】
前記インジケータに基づいて前記制御信号の長さを決定することを含む、請求項８〜１１に記載の方法。
【請求項１３】
前記インジケータに基づいて、アンライセンスバンドが新無線（New  Radio：ＮＲ）対応装置によって使用されることを決定することを含む、請求項８〜１２に記載の方法。
【請求項１４】
無線通信ネットワークのネットワークノード（２００）であって、メモリモジュール（２０１）と、プロセッサモジュール（２０２）と、無線インターフェース（２０３）とを備え、請求項１〜７のいずれかに記載の方法を実行するように構成されたネットワークノード（２００）。
【請求項１５】
メモリモジュール（５０１）と、プロセッサモジュール（５０２）と、無線インターフェース（５０３）とを備えた無線電子装置（５００）であって、請求項８〜１３のいずれかに記載の方法を実行するように構成される無線電子装置（５００）。
【発明の詳細な説明】
【技術分野】
【０００１】
本開示は、無線通信の分野に関する。より具体的には、本開示は、無線通信ネットワークのネットワークノードにおいて実行されるディスカバリーシグナリングのための方法、及び関連のネットワークノード、ならびに無線電子装置において実行される、無線通信ネットワークにおけるディスカバリーシグナリングのための方法、及び関連の無線電子装置に関する。
【背景技術】
【０００２】
第３世代パートナーシッププロジェクト（Third  Generation  Partnership  Project：３ＧＰＰ）のような無線通信システムにおいて、アンライセンスバンドで動作するシステムは、制御情報をネットワークノードから無線電子装置又はユーザ機器へと通信する必要がある。
【０００３】
３ＧＰＰシステムでは、さまざまな目的のための特定の制御信号を含む、幾つかの異なるタイプの物理層信号が、ＴＳ３８．２１１、Ｖ１５．２．０、リリース１５において指定されている。制御信号の数は、例えば、共存の問題、同期、セル取得、チャネル測定、及び様々なシステム情報に対処するために、最新の開発においては増加しているようである。
【０００４】
３ＧＰＰは、５Ｇ無線アクセス技術である新無線（New  Radio：ＮＲ）がアンライセンスバンドでどのように動作できるか（ＮＲアンライセンス（NR  Unlicensed：ＮＲ−Ｕ））、及び制御信号がＮＲ−Ｕにおいてどのようにサポートされるかを更に研究している。
【発明の概要】
【課題を解決するための手段】
【０００５】
ネットワークノードと無線電子機器との間において制御情報の送信を最適化する必要がある。
【０００６】
したがって、アンライセンスバンドでの動作を伴った３ＧＰＰシステムにおいてディスカバリーのための制御信号を強化する、ディスカバリーシグナリングのための方法及び関連のネットワークノードが必要とされている。
【０００７】
ディスカバリーシグナリングのための方法が開示される。この方法は、無線通信ネットワークのネットワークノードで実行され、ディスカバリーシグナリング用の制御信号において送信される１つ又は複数の制御情報に基づいてインジケータを生成し、当該インジケータを、送信機会におけるディスカバリー用制御信号に対するプリアンブルとして送信することを含み、前記インジケータは制御信号の内容を示す。
【０００８】
さらに、ネットワークノードが提供され、このネットワークノードはメモリモジュール、プロセッサモジュール、及び無線インターフェースを含み、当該ネットワークノードは本明細書に開示される方法を実行するように構成される。
【０００９】
本開示の利点は、ネットワークノードと無線電子装置との間での制御情報の送信が、ディスカバリー用制御信号の内容として含められる制御情報タイプに基づいてインジケータを生成することによって、また制御信号の送信時に前記インジケータを含めることによって最適化されることである。例えば、前記インジケータは、前記制御信号の送信を開始するプリアンブルとして送信することができる。これは、制御信号と同じ送信機会において前記インジケータを送信することにより、制御信号の内容としての関連する制御情報タイプ、及び選択の表示を選択的に含めることを可能にする。
【００１０】
さらに、無線電子装置で実行される方法が開示される。この方法は、無線通信ネットワークにおけるディスカバリーシグナリングのために実行される。この方法は、ディスカバリー用制御信号に対するプリアンブルを受信することを含み、ここでのプリアンブルは、制御信号の内容を示すインジケータを含む。この方法は、前記インジケータに基づいて前記制御信号の内容を決定することを含む。この方法は、前記プリアンブルと同じ送信機会に制御信号を受信することを含む。
【００１１】
本開示は、メモリモジュール、プロセッサモジュール、及び無線インターフェースを含む無線電子装置に関し、この無線電子装置は、本明細書に開示される方法を実行するように構成される。
【００１２】
本開示の利点は、前記制御信号の選択的デコード化が、ウエイクアップ信号として有利に機能し得るインジケータ、制御信号の内容及び／又は長さのインジケータ、及び／又はアンライセンスバンドの使用の表示に基づいて、無線電子装置で実行され得ることである。これにより、無線電子装置のための増大したバッテリー寿命をもたらす可能性がある。
【図面の簡単な説明】
【００１３】
本開示の上記及び他の特徴ならびに利点は、添付の図面を参照したその例示的実施形態に関する以下の詳細な説明によって、当業者には容易に明らかになるであろう。
【００１４】
【図１】図１は、本開示に従ってネットワークノードで実行される例示的方法の流れ図である。
【図２】図２は、本開示による例示的ネットワークノードを概略的に示している。
【図３】図３は、本開示による例示的ネットワークノードによる、ディスカバリーのための複数のオン制御信号の送信を概略的に示している。
【図４】図４は、本開示に従って無線電子装置で実行される例示的方法の流れ図である。
【図５】図５は、本開示による例示的無線電子装置を概略的に示している。
【発明を実施するための形態】
【００１５】
様々な例示的実施形態及び詳細を、関連するときには図を参照して以下に説明する。図は一定の縮尺で描かれている場合とそうでない場合があり、同様の構造又は機能の要素は、図全体を通して同様の参照番号で表されることに留意すべきである。また、これらの図は実施形態の説明を容易にすることのみを意図していることに留意されたい。それらは本発明の網羅的な説明として、又は本発明の範囲の制限として意図されているものではない。さらに、例示された実施形態は、示された全ての態様又は利点を有する必要はない。特定の実施形態に関連して説明される態様又は利点は、必ずしもその実施形態に限定されるものではなく、そのように図示されていない場合、又はそのように明示的に説明されていない場合でも、他の任意の実施形態において実施することができる。
【００１６】
３ＧＰＰ新無線、ＮＲでは、アンライセンスバンドでの動作（ＮＲ−Ｕとも呼ばれる）を可能にする将来リリースの可能性のある幾つかのタイプの制御情報、及び１つ又は複数の複合組の制御情報を含み得るディスカバリー用制御信号（例えば、ディスカバリー基準信号（（Discovery  Reference  Signal：ＤＲＳ）））を有することが有益である。アンライセンスバンドでの送信では、アンライセンスバンドを利用しようとする無線電子装置間での公正な共存を提供するために、送信の前にクリアチャネルアクセス（Clear  Channel  Access：ＣＣＡ）手順を実行する必要がある。複数の制御信号の組み合わせとしてディスカバリー基準信号を潜在的に定義することの利点は、幾つかのタイプの制御情報の送信を送信機会に組み合わせることの可能性である。１つの送信機会が、そうでなければ個別に送信される２以上のタイプの制御情報を含む場合、制御情報の送信に必要なクリアチャネルアクセス（ＣＣＡ）試行の数を減らすことができる。これにより、システムが必要とするＣＣＡの試行回数を低減して、より効率的な制御チャネル送信が可能になる。送信機会に含まれる制御情報のタイプに基づく開示された複合信号は、ディスカバリー信号、又はディスカバリー基準信号と称され得る。したがって、ディスカバリー信号の送信は、複数の個別信号の一連の送信であることができ、ここでは複数の個別信号の送信が単一の送信機会に発生する。
【００１７】
制御情報は、例えば、セル取得情報、同期情報（例えば、一次同期信号（Primary  Synchronization  Signal：ＰＳＳ）、及び／又は二次同期信号（Secondary  Synchronization  Signal：ＳＳＳ））、１つ又は複数のブロードキャスト信号（例えば、物理ブロードキャスト共有チャネル（Physical  Broadcast  Shared  Channel：ＰＢＳＣＨ）上のセル固有の基準信号、チャネル状態情報（Channel  State  Information：ＣＳＩ）基準信号）、オンデマンドシステム情報、及び／又はページング情報を含み得る。
【００１８】
アンライセンスバンドで動作する３ＧＰＰシステムでは、さまざまな目的のための特定の制御信号を含む幾つかの異なるタイプの信号が、仕様として計画されている。数制御信号は、最新の開発において増加しているように見える。
【００１９】
本発明者らは、ディスカバリー用制御信号（例えば、ディスカバリー信号又はディスカバリー基準信号）に含める異なるタイプの制御情報が増加するにつれて、より多くの制御情報を、ディスカバリー用制御信号を傾聴している各無線電子装置によってデコード化する必要があり、ディスカバリー用制御信号を傾聴している無線電子装置に追加のエネルギー消費を引き起こす。そして、無線電子装置が、不要な制御情報を不必要にデコード化し、それによってスペクトル資源及び電力消費を不必要に使用する可能性があることが想定され得る。換言すれば、当該チャネルを傾聴している全ての無線電子装置が、同じディスカバリー用制御信号に含まれる制御情報が関連することを見出すとは限らない。
【００２０】
本開示は、ディスカバリー用制御信号の内容として含まれる制御情報タイプに基づいてインジケータを生成し、そのインジケータを制御信号に含めることによって、ネットワークノードと無線電子装置との間の制御情報の送信を最適化することを提案する。これにより、制御信号の内容として、関連する制御情報タイプを選択的に含めることができ、制御信号にインジケータを含めることによって選択を示すことができる。これは、当該インジケータに基づき、無線電子装置において選択的な複合を実行することへと導く可能性がある。
【００２１】
さらに、アンライセンスバンドでの送信では、通常、実際の送信の前にクリアチャネルアクセス（ＣＣＡ）手順を実行する必要があるため、ＣＣＡ手順が何時（時間内に）終了するか、したがってディスカバリー用制御シグナリングの送信が何時（時間内に）生じるかが不確実になる可能性がある。開示されたインジケータを制御信号のプリアンブルとして使用することにより、制御信号を受信しようとする無線電子装置は、次の制御情報のインジケータとして当該プリアンブルを使用することができ、これは、無線電子装置におけるより電力効率の高い検出に導く可能性がある。
【００２２】
本明細書で詳細に論じるように、本開示は、アンライセンスバンドで動作するセルラーネットワークを含む無線通信ネットワークに関する。ネットワークノードとは、基地局、進化型ノードＢ（evolved  Node  B：ｅＮＢ）、グローバルノードＢ（global  Node  B：ｇＮＢ）等のネットワークで動作する無線ノードを指す。本明細書に記載の無線通信ネットワークは、１つ又は複数の無線電子装置、及び１つ又は複数のネットワークノード、例えば、基地局、ｅＮＢ、グローバルノードＢ及び／又はアクセスポイントのうちの１つ又は複数を含み得る。
【００２３】
無線電子装置は、モバイル装置及び／又はユーザ機器（User  Equipment：ＵＥ）と呼ばれることもある。
【００２４】
図は、明確化のために概略的で且つ簡略化されており、また本発明の理解に不可欠な詳細を示しているに過ぎず、他の詳細は省略されている。全体を通して、同一又は対応する部品には同じ参照番号が使用される。
【００２５】
図１は、本開示による例示的方法１００の流れ図である。方法１００は、ディスカバリーシグナリングのために、無線通信ネットワークのネットワークノードにおいて実行される。方法１００は、ディスカバリー用制御信号（例えば、ディスカバリー基準信号）において送信される１つ又は複数の制御情報に基づいて、インジケータを生成すること（Ｓ１０２）を含む。言い換えれば、インジケータを生成すること（Ｓ１０２）は、ディスカバリー用制御信号において送信される１つ又は複数の制御情報に基づいて、インジケータを選択することを含み得る。インジケータは、制御信号タイプのインジケータと見なすことができる。別の言い方をすれば、インジケータを生成すること（Ｓ１０２）は、制御信号においてどの制御情報が送信されるかに応じてインジケータを生成することを含み得る。１つ又は複数の例示的方法において、インジケータを生成することＳ１０２は、制御信号においてどのタイプの制御情報が送信されるかに応じてインジケータを生成することを含み得る。言い換えれば、制御信号において送信される制御情報のタイプに応じて、異なるインジケータを生成することができる。１つ又は複数の例示的方法において、インジケータを生成することＳ１０２は、制御信号において如何なるタイプの制御情報（例えば、制御情報タイプ）が送信されるべきかに応じてインジケータを生成することを含み得る。言い換えれば、特定のタイプの制御情報が送信される場合に、インジケータが生成及び送信され得る。１つ又は複数の例示的方法では、インジケータを生成すること（Ｓ１０２）は、１つ又は複数の制御情報タイプが制御信号に含められことを決定すること、及び当該決定に基づいてインジケータを生成することを含み得る。
【００２６】
本明細書に開示される制御情報とは、シグナリング又は制御プレーンの一部に関連した情報又はデータを指称し得る。制御情報は、ディスカバリーのための制御情報を指称し得る。例えば、制御情報には、同期情報（例えば、一次同期信号（Primary  Synchronization  Signal：ＰＳＳ）、及び／又は二次同期信号（Secondary  Synchronization  Signal：ＳＳＳ））を含むセル取得情報、１つ又は複数のブロードキャスト信号（例えば、物理ブロードキャスト共有チャネル上のセル固有の基準信号（Physical  Broadcast  Shared  Channel：ＰＢＳＣＨ）、チャネル状態情報（Channel  State  Information：ＣＳＩ）基準信号）、基本システム情報、追加システム情報、オンデマンドシステム情報、ページング情報、占有帯域幅情報、残りのシステム情報、自動隣接関係情報、及びチャネル占有時間情報のうちの１つ又は複数が含まれる。
【００２７】
１つ又は複数の例示的な方法において、１つ又は複数の制御情報に基づいてインジケータを生成すること（Ｓ１０２）には、ディスカバリー用制御信号において送信される制御情報に基づいて１つ又は複数の制御情報タイプを識別すること（Ｓ１０２Ｂ）、及び１つ又は複数の制御情報タイプに基づいてインジケータを生成すること（Ｓ１０２Ｃ）が含まれる。これは、例えばページング情報タイプがディスカバリー用制御信号で送信されるときに、インジケータを生成することを可能にする。ディスカバリー用制御信号（例えば、ディスカバリー信号又はディスカバリー基準信号）は、他の装置がディスカバリーシグナリングを実行するためにネットワークノードにより送信される信号、例えばシステム検出、セル識別、時間同期、周波数同期、アンテナ構成又はキャリブレーション、ページングインジケーションの受信、システム情報の受信等のうちの１つ又は複数を指称し得る。ディスカバリーシグナリングは、１つ又は複数の制御情報タイプを送信することによって実行することができる。本明細書に開示される制御情報タイプは、ディスカバリーシグナリングに関与する複数のタイプの制御情報のうち、あるタイプの制御情報を指称し得るものである。制御情報のタイプは、制御信号の内容として含まれる制御情報に対応している。例えば、制御情報タイプには、セル取得情報タイプ、同期情報タイプ（例えば、制御信号で送信される次の制御情報、即ち、一次同期信号（ＰＳＳ）及び／又は二次同期信号（ＳＳＳ）に対応する）、ブロードキャスト情報タイプ（例えば、送信される次の制御情報に対応する：基準信号タイプ、例えば、物理ブロードキャスト共有チャネル（ＰＢＳＣＨ）上のセル固有の基準信号）、チャネル状態情報（ＣＳＩ）タイプ（例えば、送信する次の制御情報に対応する：ＣＳＩ基準信号又はＣＳＩパイロット）、送信される基本システム情報に対応する基本システム情報タイプ、送信される追加システム情報に対応する追加システム情報タイプ、送信されるオンデマンドシステム情報に対応するオンデマンドシステム情報タイプ、送信されるページング情報に対応するページング情報タイプ、送信される占有帯域幅情報に対応する占有帯域幅情報タイプ、送信される残りのシステム情報に対応する残りのシステム情報タイプ、送信される自動隣接関係情報に対応する自動隣接関係情報タイプ、及び送信されるチャネル占有時間情報に対応するチャネル占有時間情報タイプが含まれる。
【００２８】
方法１００は、送信機会において、ディスカバリー用制御信号に対するプリアンブルとして、インジケータを送信すること（Ｓ１０４）を含む。インジケータは、制御信号の内容を示す。換言すれば、インジケータは、制御信号において送信される制御情報を示す。制御信号の内容は、制御信号によって運ばれる制御情報を含み得る。制御信号の内容は、制御信号において送信され、それにより生成されたインジケータによって示される１つ又は複数の制御情報に対応した制御情報を含むことができる。
【００２９】
開示されたプリアンブルは、ＮＲ−Ｕ送信に先立って送信でき、これは、あるタイプの制御情報（例えば、別の言い方をすれば特定のタイプの制御情報）が、ＮＲ−Ｕ信号送信に含まれるかどうかの表示のために有益であることが理解できる。例えば、プリアンブルとして送信される本開示のインジケータは、同期信号バースト又はより一般的なディスカバリー基準信号送信に先立つウエイクアップ信号として有利に使用でき、ＤＲＳが特定の信号又は制御要素を含んでいることを示す。例えば、本開示のプリアンブル又は本開示のインジケータは、何れのタイプの信号がＮＲ−Ｕ信号送信に含まれるかを示す。
【００３０】
１つ又は複数の例示的な方法において、インジケータは、ダウンリンク（Downlink：ＤＬ）送信バーストを検出するために使用される。例えば、プリアンブルとして送信されるインジケータは、ＤＬ送信バーストの検出に有益であり、無線電子装置での頻繁なＰＤＣＣＨ監視によって引き起こされる消費電力の削減につながる。
【００３１】
１つ又は複数の例示的な方法において、インジケータの生成は、送信されるＰＳＳ及び／又はＳＳＳに基づいて実行され得る。
【００３２】
１つ又は複数の例示的方法において、制御情報には、セルアイデンティティ（セルＩＤ）、及び／又は、ビーム／送信点関連パラメータが含まれる。１つ又は複数の例示的方法において、ディスカバリー用制御信号は１つ又は複数の個別の信号を含む。制御信号の内容は、単一の送信機会のような送信機会に組み合わされた無線通信規格で指定された１つ又は複数の制御情報に対応した、１つ又は複数の別個の又は個別の信号を含み得る。さらに、制御信号の内容は、１つ又は複数の個別の信号において伝送される１つ又は複数の制御情報タイプを含むことができる。
【００３３】
１つ又は複数の例示的方法において、インジケータは制御信号の長さを示す。
【００３４】
１つ又は複数の例示的方法において、ディスカバリー用制御信号は、ディスカバリー基準信号を含む。１つ又は複数の例示的方法において、ディスカバリー基準信号は、アンライセンスバンドで送信される基準信号の１つ又は複数を含む。基準信号（Reference  Signal：ＲＳ）は、アップリンク（Uplink：ＵＬ）のようなチャネルシグナリング、ダウンリンク（ＤＬ）のようなチャネルシグナリング、スケジューリング等のチャネル取得のようなチャネルシグナリングをサポートする信号を指す。この制御信号は、例えばＮＲ−Ｕにおいて無線電子装置に制御情報を提供するように構成された制御信号を指す。制御情報タイプに応じて、制御信号は以下の制御情報、即ち、同期情報を含むセル取得情報（例えば、一次同期信号（ＰＳＳ）及び／又は二次同期信号（ＳＳＳ））、１つ又は複数のブロードキャスト信号（例えば、物理ブロードキャスト共有チャネル（ＰＢＳＣＨ）に対するセル固有の基準信号、チャネル状態情報（ＣＳＩ）基準信号のような基準信号）、基本システム情報、追加システム情報、オンデマンドシステム情報、ページング情報、占有帯域幅情報、残りのシステム情報、自動隣接関係情報、及びチャネル占有時間情報のうちの１つ又は複数を含むことができる。
【００３５】
例えば、ページング情報は、ネットワークノードにおいて１つ又は複数の以降のタイムスロットでページングが実行されるときに含められる。セル取得情報は、セル固有基準信号（Cell-Specific  Reference  Signal：ＣＲＳ）のような基準信号のように頻繁に送信されることは必要とされない。信号資源を節約するために、ディスカバリー用制御信号のＮ回の送信毎に、セル取得情報が含められることを想定することができる（ここで、Ｎは整数、例えば２と４の間の整数）。例えば、ディスカバリー用制御信号において送信される制御情報に基づいて、１つ又は複数の制御情報タイプを識別すること（Ｓ１０２Ｂ）は、制御信号において送信される特定の制御情報の周期性及び／又はリクエストに基づいて実行され得る。
【００３６】
１つ又は複数の例示的な方法において、１つ又は複数の制御情報タイプに基づいてインジケータを生成すること（Ｓ１０２）は、１つ又は複数の制御情報タイプに基づいて、複数のインジケータの中からインジケータを選択すること（Ｓ１０２Ｄ）を含む。別の言い方をすれば、複数のインジケータのうちの各インジケータは、制御信号において送信される１つ又は複数の制御情報タイプに、例えば、ディスカバリー用制御信号の特定の内容にマッピングされる。各インジケータは、シーケンスの形式で定義できる。言い換えれば、インジケータは、ベースシーケンス等のシーケンスを使用して生成することができ、これは次に、例えば相互相関パフォーマンスを用いてビットのシーケンスへと更に拡張することができる。インジケータは、シーケンス番号として見える場合もある。例示的な複数のインジケータは、例えば以下の形式であり得る。
【００３７】
【表１】
2022501961.tif 000003
【００３８】
本開示の技術が適用される例示的実施例において、ネットワークノードは、セル固有の基準信号（例えば、パイロット（ＣＳＩ−ＲＳ））、基本的システム情報、及びページング情報に対応する制御情報タイプを識別する。この例において、ネットワークノードは、制御信号においてディスカバリー基準信号として送信される制御情報タイプを示すシーケンスに基づいて、インジケータを生成する。このシーケンス生成は、基本シーケンスをインジケータ「３」にマッピングすることによって実行でき、さらに、拡張シーケンスで基本シーケンスを拡張することによって実行できる。当該シーケンス生成は、例えば、制御情報タイプの他の組み合わせについて生成された他のシーケンスに関して、所与の相互相関性能を有するシーケンスを作成することにより、受信機によって実行される検出時に、特定の検出性能を容易にするために実行することができる。当該ネットワークノードは、同じ送信時に、下記の制御情報を含む制御信号に対するプリアンブルとして当該インジケータを送信する。即ち、セル固有基準信号（パイロット（ＣＳＩ−ＲＳ）等）、基本的システム情報、及びページング情報である。この例では、ネットワークノードは、インジケータ「３」を示す生成されたインジケータを、セル固有の基準信号（例えば、パイロット（ＣＳＩ−ＲＳ））、基本的システム情報、及びページング情報を含む制御信号に対するプリアンブルとして送信する。
【００３９】
１つ又は複数の例示的方法において、インジケータを制御信号に対するプリアンブルとして送信すること（Ｓ１０４を）は、プリアンブルに第１の変調又はコード化スキームを、また制御信号に第２の変調又はコード化スキームを適用すること（Ｓ１０４Ａ）を含み、ここでの第２の変調又はコード化スキームは、第１の変調又はコード化方式とは異なる。先の段落の例に続いて、ネットワークノードは、インジケータ「３」を示す生成されたビットシーケンスであり得るプリアンブルに対して、第１の変調又はコード化スキームを適用し、またセル固有基準信号（パイロット（ＣＳＩ−ＲＳ）等）、基本的システム情報、及びページング情報を含む制御信号には第２の変調又はコード化スキームを適用する。１つ又は複数の例示的方法において、１つ又は複数の制御信号タイプは個々の制御信号及び／又は基準信号を含み、今度はこれらが、異なる変調及びコード化スキームを適用できることが理解され得る。これは、無線電子装置が、インジケータに応じて選択的なデコード化を実行することを可能にする。制御信号によって運ばれる制御情報（この例では、セル固有基準信号、基本システム情報、及びページング情報）の何れもが無線電子装置に関係がない場合、無線電子装置はインジケータ、例えば、無線電子機器にとって無関係とみなされる制御情報に対応する「３」を示すインジケータのために特別に生成された検出シーケンスを単に復調及びデコード化することによって制御信号の内容を識別する。このようにして、無線電子装置において電力消費が節約され得る。
【００４０】
１つ又は複数の例示的な方法において、プリアンブルに第１の変調又はコード化スキームを適用し、制御信号に第２の変調又はコード化スキームを適用すること（Ｓ１０４Ａを）は、プリアンブルに対してオン／オフキーイング（又はバイナリ位相偏移キーイング等の他の低複雑度変調）変調スキームを適用すること（Ｓ１０４Ｃ）を含む。１つ又は複数の例示的方法において、インジケータ送信は、例えば、冗長ビットを追加するか、又は畳み込み符号化等のチャネル符号化方式を適用することによってコード化され得る。１つ又は複数の例示的方法において、インジケータ送信はコード化されていない可能性がある（例えば、コード化され得ない）。１つ又は複数の例示的方法において、オン／オフキーイング変調方式は、振幅偏移キーイング変調方式を含み得る。換言すれば、インジケータはオン／オフキーイングを使用して生成することができ、それによって、無線電子装置の受信機チェーンの早い段階で復調及び検出することができる。これにより、ディスカバリー用の制御信号を、特定の制御情報タイプを傾聴している無線電子装置のウエイクアップ信号として使用することが可能になる。
【００４１】
１つ又は複数の例示的方法において、方法１００は、制御信号において送信される１つ又は複数の制御情報が、第１の組の制御情報に対する追加の制御情報を含むかどうかを決定すること（Ｓ１０１）を含む。第１の組の制御情報は、ラジオ波システムの仕様（例えば３ＧＰＰで指定されるもの）によって事前に決定され得る。換言すれば、第１の組の制御情報は、制御情報の最小組及び／又は制御情報のデフォルト組を含み得る。第１の組の制御情報は、パイロット（ＣＳＩ−ＲＳ）及び基本的システム情報を含み得る。
【００４２】
１つ又は複数の例示的方法において、方法１００は、制御信号において送信されるべき１つ又は複数の制御情報が、第１の組の制御情報に追加の制御情報を含めることであるとの決定に従って、生成（Ｓ１０２）及び送信（Ｓ１０４）を実行することを含む。１つ又は複数の例示的な方法及びネットワークノードにおいて、本開示は、第１の組の制御情報に追加されるべき制御情報を組み込む制御信号にのみ適用され得るインジケータを生成することを可能にする。これにより、無線通信ネットワークのシグナリング資源を節約することが可能になる。特定の情報要素を傾聴しているＵＥは、最も無意味な構成を特に使用せず、またアンライセンスバンドの使用を検出する他のネットワークはそれほど頻繁なＤＲＳ検出を必要としないため、ベースラインＤＲＳが基本シーケンス検出ユニットによって検出されない場合でも、おそらくは、当該シーケンスを使用することの利点が達成されると考えられるであろう。
【００４３】
したがって、当該インジケータは、特定のタイプの情報のみ、即ち、内容及び／又は制御信号の長さを示すインジケータ、新無線（ＮＲ）がアンライセンスバンドを使用していることを示す検出し易い信号を傾聴している無線電子装置のための、ウエイクアップ信号として使用することができる。
【００４４】
１つ又は複数の例示的方法において、方法１００は、制御信号において送信される１つ又は複数の制御情報が、第１の組の制御情報に対する追加の制御情報を含まないとの決定に従って、制御信号を生成すること（Ｓ１０２）及び送信すること（Ｓ１０８）を見合わせる。
【００４５】
１つ又は複数の例示的方法において、方法１００は、制御信号において送信される１つ又は複数の制御情報が、第２の組の制御情報とは異なる制御情報を含むべきかどうかを決定すること、及び制御信号において送信される１つ又は複数の制御情報が、第２の組の制御情報とは異なる制御情報を含むとの決定に従って、生成（Ｓ１０２）及び送信（Ｓ１０４）を実行することを含む。第２の組の制御情報は、規則によって事前に決定され得る。例えば、ネットワークノードは、制御信号において送信される１つ又は複数の制御情報が、第２の組の制御情報とは異なる制御情報を含むことである場合（例えば、制御信号がいずれかの専用及び／又はＵＥ固有制御情報を含まない場合のみ）、ステップＳ１０２に従ってインジケータを生成し、ステップＳ１０４に従って送信することができる。
【００４６】
１つ又は複数の例示的方法において、方法１００は、単回の送信機会において、制御信号を形成する一連の複数の個別信号を送信することによって、制御信号を無線電子装置へと送信すること（Ｓ１０８）を含む。送信される制御信号は、制御信号に含まれる制御情報及び制御信号の長さに応じて、異なる周波数帯域幅を占める可能性がある。
【００４７】
図２は、本開示による例示的ネットワークノード２００を示すブロック図である。本開示は、無線通信ネットワークのネットワークノード２００に関する。ネットワークノードの例には、基地局、進化したノードＢ、及び／又はアクセスポイントが含まれる。
【００４８】
ネットワークノード２００は、メモリモジュール２０１、プロセッサモジュール２０２、及び無線インターフェース２０３を含んでいる。ネットワークノード２００は、図１に示される方法のいずれか等、本明細書に開示される方法のいずれかを実行するように構成される。
【００４９】
プロセッサモジュール２０２は、例えば、インジケータ生成器モジュール２０２Ａを使用して、ディスカバリー用制御信号において送信される１つ又は複数の制御情報に基づくインジケータを生成するように構成される。
【００５０】
プロセッサモジュール２０２は、例えば、無線インターフェース２０３を使用して、ディスカバリー用制御信号に対するプリアンブルとしてインジケータを送信し、ここでのインジケータは制御信号の内容及び任意選択で制御信号の長さを示すように構成される。
【００５１】
プロセッサモジュール２０２は、ステップＳ１０１、Ｓ１０２Ａ、Ｓ１０２Ｂ、Ｓ１０２Ｃ、Ｓ１０２Ｄ、Ｓ１０４Ａ、Ｓ１４０４ＡＡ及びＳ１０８（図１に開示される）のいずれかを実行するように構成され得る。
【００５２】
無線インターフェース２０３は、新無線及びアンライセンスバンド動作を含む３ＧＧＰシステムのようなアンライセンスバンドでの動作を備えた３ＧＰＰシステム等の、３ＧＰＰシステムのような無線通信ネットワークを介した無線通信のために構成される。無線インターフェース２０３は、制御信号に対するプリアンブルとしてのインジケータ及び制御信号を、無線電子装置（例えば本明細書に開示される無線電子装置）へと送信するように構成することができる。
【００５３】
プロセッサモジュール２０２は、任意に、図１に開示された動作のいずれかを実行するように構成される。ネットワークノード２００の動作は、実行可能な論理ルーチン（例えばラインズオブコード、ソフトウェアプログラム等）の形で具体化でき、これは非一時的コンピュータ可読媒体（例えば、メモリモジュール２０１）に格納され、プロセッサモジュール２０２によって実行される。
【００５４】
さらに、ネットワークノード２００の動作は、ネットワークノード２００が実行するように構成される方法と見なすことができる。また、説明された機能及び操作はソフトウェアにおいて実装され得るが、そのような機能は、専用のハードウェア又はファームウェア、或いはハードウェア、ファームウェア及び／又はソフトウェアの幾つかの組み合わせを介して実行されてよい。
【００５５】
メモリモジュール２０１は、バッファ、フラッシュメモリ、ハードドライブ、リムーバブルメディア、揮発性メモリ、不揮発性メモリ、ランダムアクセスメモリ（Random  Access  Memory：ＲＡＭ）、又は他の適切なデバイスのうちの１つ又は複数であり得る。典型的な構成において、メモリモジュール２０１は、長期データ記憶のための不揮発性メモリと、プロセッサモジュール２０２用のシステムメモリとして機能する揮発性メモリとを含み得る。メモリモジュール２０１は、データバスを介して、プロセッサモジュール２０２とデータを交換することができる。メモリモジュール２０１とプロセッサモジュール２０２との間には、制御ライン及びアドレスバスも存在し得る（図２には示されていない）。メモリモジュール２０１は、非一時的なコンピュータ可読媒体と見なされる。
【００５６】
メモリモジュール２０１は、インジケータをメモリの一部の対応する制御情報タイプに関連付ける、ルックアップテーブルを格納するように構成できる。
【００５７】
図３は、本開示による例示的ネットワークノードによる、ディスカバリーのための複数のオン制御信号の送信を概略的に示している。１つ又は複数の例示的方法及びネットワークノードにおいて、ネットワークノードは、制御信号において送信される１つ又は複数の制御情報が、第１の組の制御情報に対する追加の制御情報を含むかどうかを決定し、また制御信号において送信される１つ又は複数の制御情報が第１の組の制御情報に対する追加の制御情報を含むとの決定に従って、ネットワークノードは制御情報に基づいてインジケータを生成する。第１の組は、事前に定められた組、デフォルト組、又は最小の組と見なすことができる。
【００５８】
図３において、凡例は、第１の組の制御情報が参照記号１０によって表され、第１のインジケータが信号タイプ１２によって表され、第２のインジケータが参照記号１４によって表され、第３のインジケータが参照記号１６によって表され、第１の制御情報は参照記号１８によって表され、第２の制御情報は参照記号２０によって表されることを規定する。
【００５９】
図３は、第１の組の制御情報が、ネットワークノードによって定期的に送信されることを示している。第１の組の制御情報は、パイロット（ＣＳＩ−ＲＳ）及び基本的システム情報で構成される。
【００６０】
図３は、インジケータ１２が、第１の組の制御情報及び第１の制御情報を含む内容に関連付けられることと、インジケータ１４が、第１の組の制御情報ならびに第１の制御情報及び第２の制御情報を含む内容に関連付けられることを示す。図３は、インジケータ１６が、第１の組の制御情報及び第２の制御情報を含む内容に関連付けられることを示している。
【００６１】
１つ又は複数の例示的方法及びネットワークノードにおいて、本開示は、図３に示すように、第１の組の制御情報に追加の制御情報を組み込む制御信号にのみ適用できるインジケータを生成することを可能にする。したがって、このインジケータは、特定のタイプの情報のみ、即ち、制御信号の内容及び／又は制御信号の長さを示すインジケータ、新無線（ＮＲ）がアンライセンスバンドを使用していることを示す検出し易い信号を傾聴している無線電子装置の、ウエイクアップ信号として使用することができる。
【００６２】
これは、無線通信ネットワークのシグナリング資源を節約することを可能にする。例えば、特定の情報要素を傾聴している無線電子装置は、１０により参照される第１の組の制御情報を伴った制御信号の特定の使用を有しておらず、１２、１４、１６のようなインジケータに基づいて、関連する制御信号を識別することができる。アンライセンスバンドの使用を検出することを目的とする他の無線電子装置は、それほど頻繁に制御信号を傾聴することを必要とされない。
【００６３】
図４は、本開示による無線電子装置において実行される例示的方法３００を図示した流れ図を示している。方法３００は、無線通信ネットワークにおけるディスカバリーシグナリングのために実行される。
【００６４】
方法３００は、例えばネットワークノードから、例えば本明細書に開示したネットワークノードから、ディスカバリー用制御信号に対するプリアンブルを受信すること（Ｓ３０２）を含む。このプリアンブルは、制御信号の内容を示すインジケータを含んでいる。方法３００は、インジケータに基づいて、制御信号の内容を決定すること（Ｓ３０４）を含む。方法３００は、プリアンブルと同じ送信機会に、例えばネットワークノードから制御信号を受信すること（Ｓ３０６）を含むことができる。
【００６５】
１つ又は複数の例示的方法において、インジケータに基づいてディスカバリー用制御信号の内容を決定すること（Ｓ３０４）は、当該制御信号が無線電子装置によって必要とされる制御情報を含むことを、インジケータが示すかどうかを決定すること（Ｓ３０４Ａ）を含む。
【００６６】
１つ又は複数の例示的方法において、インジケータに基づいて、ディスカバリー用制御信号の内容を決定すること（Ｓ３０４）は、制御信号が携帯型電子装置によって必要とされる制御情報を含むとの決定に従って、制御信号を処理すること（Ｓ３０４Ｂ）を含む。
【００６７】
１つ又は複数の例示的方法において、インジケータに基づいてディスカバリー用制御信号の内容を決定すること（Ｓ３０４）は、制御信号が携帯型電子装置によって必要とされる制御情報を含まないという決定に従って、制御信号の処理を見合わせること（Ｓ３０４Ｃ）を含む。
【００６８】
１つ又は複数の例示的方法において、方法３００は、無線電子装置のウエイクアップ受信機におけるインジケータの処理に基づいて、無線電子装置のメイン受信器をウエイクアップすること（Ｓ３０３）を含む。例えば、無線電子装置は、無線電子装置のウエイクアップ受信機部分でインジケータを受信することに基づいて、メイン受信器をウエイクアップさせるように構成できる。
【００６９】
１つ又は複数の例示的方法において、方法３００は、インジケータに基づいて制御信号の長さを決定すること（Ｓ３０７）を含む。
【００７０】
１つ又は複数の例示的方法において、方法３００は、インジケータに基づき、アンライセンスバンドが新無線（ＮＲ）対応装置によって使用されることを決定することを含む。
【００７１】
図５は、本開示による例示的無線電子装置５００のブロック図を示している。
【００７２】
無線電子装置５００は、メモリモジュール５０１、プロセッサモジュール５０２、及び無線インターフェース５０３を具備する。無線電子装置５０１は、図４に開示された方法のいずれかを実行するように構成され得る。
【００７３】
無線電子装置５００は、無線通信ネットワークを使用して、本明細書に開示されたネットワークノードのようなネットワークノードと通信するように構成される。
【００７４】
無線電子装置５００は、無線インターフェース５０３を介して、ディスカバリー用制御信号に対するプリアンブルを受信するように構成される。このプリアンブルは、制御信号の内容を示すインジケータを含んでいる。
【００７５】
無線電子装置５００は、任意に、図４のステップＳ３０４Ａ、Ｓ３０４Ｂ、Ｓ３０４Ｃのいずれかを実行することによって、インジケータに基づき、プロセッサモジュール５０２を介して（例えば、決定モジュール５０２Ａを介して）制御信号の内容を決定するように構成される。
【００７６】
無線インターフェース５０３は、ウエイクアップ受信機５０３Ｄを備えた受信機モジュール５０３Ａを含み得る。ウエイクアップ受信機５０３Ｄは、受信されたインジケータがそれに応じて処理されるための相関器５０３Ｃを備えたエネルギー検出器５０３Ｂを含むことができる。本開示に従って処理される場合、当該インジケータは、有利なことに、無線電子装置５００がディスカバリー用制御信号のみを傾聴しているときに、ウエイクアップ信号を提供する。本開示に従って処理される場合、有利には、インジケータは内容のインジケータ及び制御信号の長さのインジケータの両方を提供する。
【００７７】
無線電子装置５００は、例えば、決定モジュール５０２Ａを使用して、アンライセンスバンドがインジケータに基づいてＮＲ対応装置により使用されることを決定するように構成され得る。本開示に従って処理される場合、インジケータは、有利には容易に検出可能な信号を提供して、３ＧＰＰ−ＮＲ通信ネットワークがアンライセンスバンドを使用することを無線電子装置５００に示す。
【００７８】
プロセッサモジュール５０２は、任意に、図４に開示された動作のいずれかを実行するように構成される。無線電子装置５００の動作は、実行可能な論理ルーチン（例えば、ラインオブコード、ソフトウェアプログラム等）の形で具体化され得る。それらは、非一時的なコンピュータ可読媒体（例えば、メモリモジュール５０１）に格納され、プロセッサモジュール５０２によって実行される。
【００７９】
説明された機能及び操作はソフトウェアで実装され得るが、そのような機能は同様に、専用のハードウェア又はファームウェア、或いはハードウェア、ファームウェア及び／又はソフトウェアの幾つかの組み合わせを介して実行されてよい。
【００８０】
メモリモジュール５０１は、バッファ、フラッシュメモリ、ハードドライブ、リムーバブルメディア、揮発性メモリ、不揮発性メモリ、ランダムアクセスメモリ（ＲＡＭ）、又は他の適切なデバイスのうちの１つ又は複数であり得る。典型的な構成において、メモリモジュール５０１は、長期データ記憶のための不揮発性メモリと、プロセッサモジュール５０２用のシステムメモリとして機能する揮発性メモリとを含むことができる。メモリモジュール５０１は、データバスを介してプロセッサモジュール５０２とデータを交換することができる。メモリモジュール５０１とプロセッサモジュール５０２との間には、制御線及びアドレスバスも存在し得る（図５には示されていない）。メモリモジュール５０１は、非一時的コンピュータ可読媒体と見なされる。
【００８１】
メモリモジュール５０１は、インジケータを対応する制御情報タイプに関連付けるためのルックアップテーブルを、メモリモジュール５０１の一部に格納するように構成することができる。
【００８２】
本開示による方法及び製品の実施形態を、以下の項目に記載する。
【００８３】
１．無線通信ネットワークのネットワークノードで実行されるディスカバリーシグナリングのための方法であって、
‐ディスカバリー用制御信号において送信される１つ又は複数の制御情報に基づいて、インジケータを生成すること（Ｓ１０２）と、
‐送信機会において、ディスカバリー用制御信号に対するプリアンブルとして、前記制御信号の内容を示す前記インジケータを送信すること（Ｓ１０４）とを含む方法。
【００８４】
２．１つ又は複数の制御情報に基づいてインジケータを生成すること（Ｓ１０２）は、前記ディスカバリー用制御信号において送信される前記制御情報に基づいて、１つ又は複数の制御情報タイプを識別すること（Ｓ１０２Ｂ）と、前記１つ又は複数の制御情報タイプに基づいて前記インジケータを生成すること（Ｓ１０２Ｃ）とを含む、項目１に記載の方法。
【００８５】
３．前記ディスカバリー用制御信号は１つ又は複数の個別の信号を含む、項目１〜２のいずれかに記載の方法。
【００８６】
４．前記１つ又は複数の制御情報に基づいて前記インジケータを生成すること（Ｓ１０２）は、前記１つ又は複数の制御情報タイプに基づいて、複数のインジケータの中から前記インジケータを選択すること（Ｓ１０２Ｄ）を含む、項目２〜３のいずれかに記載の方法。
【００８７】
５．前記インジケータは前記制御信号の長さを示す、項目１〜４のいずれかに記載の方法。
【００８８】
６．前記プリアンブルに第１の変調又はコード化スキームを、及び前記制御信号に第２の変調又はコード化スキームを適用すること（Ｓ１０６）を含み、前記第２の変調又はコード化スキームは前記第１の変調又はコード化スキームとは異なる、項目１〜５のいずれかに記載の方法。
【００８９】
７．前記プリアンブルに第１の変調又はコード化スキームを、及び前記制御信号に第２の変調又はコード化スキームを適用すること（Ｓ１０６）は、前記プリアンブルに対してオン／オフキーイング変調スキーム及びコード化スキームを適用すること（Ｓ１０６Ａ）を含む、項目５に記載の方法。
【００９０】
８．前記制御信号において送信される１つ又は複数の制御情報が、第１の組の制御情報に対する追加の制御情報を含むかどうかを決定すること（Ｓ１０１）と、
前記制御信号において送信される前記１つ又は複数の制御情報が前記第１の組の制御情報に対する追加の制御情報を含むとの決定に従って、前記生成すること（Ｓ１０２）及び送信すること（Ｓ１０４）を実行することを含む、項目１〜７のいずれかに記載の方法。
【００９１】
９．前記制御信号を形成する一連の複数の個別信号を１回の送信機会において送信することにより、前記制御信号を無線電子装置へと送信すること（Ｓ１０８）を含む、項目１〜８のいずれかに記載の方法。
【００９２】
１０．無線通信ネットワークにおけるディスカバリーシグナリングのために無線電子装置において実行される方法であって、
‐ディスカバリー用制御信号に対するプリアンブルであって、前記制御信号の内容を示すインジケータを含むプリアンブルを受信すること（Ｓ３０２）と、
‐前記インジケータに基づいて前記制御信号の内容を決定すること（Ｓ３０４）と、
‐前記プリアンブルと同じ送信機会において、前記制御信号を受信すること（Ｓ３０６）と、を含む方法。
【００９３】
１１．前記インジケータに基づいて前記ディスカバリー用制御信号の内容を決定すること（Ｓ３０４）は、前記制御信号が、前記無線電子装置によって必要とされる本体部分における制御情報を含むことを前記インジケータが示すかどうかを決定すること（Ｓ３０４Ａ）と、前記制御信号が前記無線電子装置によって必要とされる制御情報を含むとの決定に従って、前記制御情報を処理すること（Ｓ３０４Ｂ）とを含む、項目１０に記載の方法。
【００９４】
１２．前記インジケータに基づいて前記ディスカバリー用制御信号の内容を決定すること（Ｓ３０４）は、
前記制御信号が前記無線電子装置によって必要とされる制御情報を含まないとの決定に従って、前記制御情報の処理を見合わせること（Ｓ３０４Ｃ）を含む、項目１０〜１１のいずれかに記載の方法。
【００９５】
１３．前記無線電子機器のウエイクアップ受信機における前記インジケータの処理に基づいて、前記無線電子装置のメイン受信機をウエイクアップさせること（Ｓ３０３）を含む、項目１０〜１２に記載の方法。
【００９６】
１４．前記インジケータに基づいて前記制御信号の長さを決定することを含む、項目１０〜１３に記載の方法。
【００９７】
１５．前記インジケータに基づいて、アンライセンスバンドが新無線（ＮＲ）対応装置によって使用されていることを決定することを含む、項目１０〜１４に記載の方法。
【００９８】
１６．無線通信ネットワークのネットワークノード（２００）であって、メモリモジュール（２０１）と、プロセッサモジュール（２０２）と、無線インターフェース（２０３）とを備え、項目１〜９のいずれかに記載の方法を実行するように構成されたネットワークノード（２００）。
【００９９】
１７．メモリモジュール（５０１）と、プロセッサモジュール（５０２）と、無線インターフェース（５０３）とを備えた無線電子装置（５００）であって、項目９〜１５のいずれかに記載の方法を実行するように構成される無線電子装置（５００）。
【０１００】
「第１」、「第２」、「第３」及び「第４」、「一次」、「二次」、「三次」等の用語の使用は、特定の順序を意味するものではなく、個々の要素を識別するために含まれている。さらに、「第１」、「第２」、「第３」及び「第４」、「一次」、「二次」、「三次」等の用語の使用は、順序又は重要性を示すのではなく、むしろ「第１」、「第２」、「第３」及び「第４」、「一次」、「二次」、「三次」等の用語は、ある要素を別の要素と区別するために使用される。なお、「第１」、「第２」、「第３」、「第４」、「一次」、「二次」、「三次」等の単語は、ここ及び他の場所においてラベル付けの目的でのみ使用されており、特定の空間的又は時間的な順序を示すことを意図するものではない。さらに、第１の要素のラベル付けは第２の要素の存在を意味するものではなく、その逆も同様である。
【０１０１】
図１〜５は、実線で示される幾つかのモジュール又は操作と、破線で示される幾つかのモジュール又は操作とを含むことが理解される。実線で構成されるモジュール又は操作は、最も広い例示的な実施形態で構成されるモジュール又は操作である。破線で構成されるモジュール又は操作は、実線の例示的実施形態のモジュール又は操作に加えて採用され得るか、又はその一部に含まれ得るか、又は更なるモジュール又は操作である例示的実施形態である。これらの操作は、提示された順序で実行される必要はないことを理解されたい。さらに、全ての操作を実行する必要はないことを理解されたい。これらの例示的動作は、任意の順序及び任意の組み合わせで実行することができる。
【０１０２】
「含む」という言葉は、リストされたもの以外の要素又はステップの存在を必ずしも除外しないことに留意されたい。
【０１０３】
要素に先行する不定冠詞（単語「ａ」又は「ａｎ」）は、複数のそのような要素の存在を排除しないことに留意されたい。
【０１０４】
更に何れの参照記号も請求項の範囲を限定しないこと、例示的実施形態は、ハードウェア及びソフトウェアの両方によって少なくとも部分的に実装され得ること、及び幾つかの「手段」、「ユニット」又は「装置」は、ハードウェアの同じアイテムで代表され得ることに留意されたい。
【０１０５】
本明細書に記載の様々な例示的方法、装置、ノード、及びシステムは、方法ステップ又はプロセスの一般的な文脈で説明され、これらは一態様において、ネットワーク環境下にコンピュータで実行可能な命令を含む、プログラムコード等のコンピュータ可読媒体に具体化されたコンピュータプログラム製品によって実装できる。コンピュータ可読媒体は、取り外し可能及び取り外し不能な記憶装置を含み得るものであり、これには読み取り専用メモリ（Read  Only  Memory：ＲＯＭ）、ランダムアクセスメモリ（Random  Access  Memory：ＲＡＭ）、コンパクトディスク（Compact  Disc:ＣＤ）、デジタル多用途ディスク（Digital  Versatile  Disc：ＤＶＤ）等が含まれるが、これらに限定されない。一般に、プログラムモジュールには、指定されたタスクを実行し、又は特定の抽象データタイプを実装するルーチン、プログラム、オブジェクト、コンポーネント、データ構造等が含まれる。コンピュータで実行可能な命令、関連のデータ構造、及びプログラムモジュールは、本明細書で開示される方法のステップを実行するためのプログラムコードの例を表す。そのような実行可能な命令又は関連するデータ構造の特定のシーケンスは、そのようなステップ又はプロセスで説明される機能を実装するための対応する行為の例を表す。
【０１０６】
特徴を示し且つ説明してきたが、それらは特許請求の範囲に記載の発明を制限することを意図しないことが理解されるであろうし、当業者には、精神及び範囲から逸脱することなく様々な変更及び修正を行うことができることが明らかになるであろう。したがって、明細書及び図面は、限定的な意味ではなく、例示的な意味で考慮されるべきである。特許請求の範囲に記載された発明は、全ての代替案、変形、及び均等物を網羅することを意図している。
【図１】
2022501961.tif 000004
【図２】
2022501961.tif 000005
【図３】
2022501961.tif 000006
【図４】
2022501961.tif 000007
【図５】
2022501961.tif 000008
【国際調査報告】
2022501961.tif 000009
2022501961.tif 000010
2022501961.tif 000011
2022501961.tif 000012